(57)【特許請求の範囲】
【請求項１】
住戸に設置されて不審者の侵入等の異常を検知するとともに異常検知時に検知信号を出力する１乃至複数の防犯センサと、防犯センサから出力される検知信号を受信したときに警報を発する警戒モード並びに検知信号を受信しても警報を発しない非警戒モードの２つの動作モードを有し固有のアドレスが割り当てられた防犯受信機と、住戸に設置され手動操作によって動作状態が切り替えられる１乃至複数の機器と、固有のアドレスが割り当てられ当該機器の動作状態を監視する１乃至複数の監視端末器と、信号線により防犯受信機並びに監視端末器と接続され当該信号線を介して防犯受信機並びに監視端末器との間で信号を伝送する信号伝送手段と、防犯受信機との間で予め前記アドレスによる対応関係が決められている１乃至複数の特定の監視端末器のアドレス及び当該特定の監視端末器が監視する機器の動作状態に関する条件を記憶する記憶手段と、前記動作状態が前記記憶手段に記憶した動作状態に関する条件と一致した場合に警戒モードに設定させるための警戒設定指令を防犯受信機に対し前記信号伝送手段より信号線を介して送信する信号処理手段とを備えたことを特徴とする防犯システム。
【発明の詳細な説明】
【技術分野】
【０００１】
本発明は、住戸への不審者の侵入等の異常を検知して警報を発する防犯システムに関するものである。
【背景技術】
【０００２】
従来、住戸への不審者の侵入等の異常を検知して警報を発する防犯システムが提案されている（例えば、特許文献１参照)。
【０００３】
かかる従来システムは、住戸に設置されて不審者の侵入等の異常を検知するとともに異常検知時に検知信号を出力する１乃至複数の防犯センサと、防犯センサから出力される検知信号を受信したときに警報を発する警戒モード並びに検知信号を受信しても警報を発しない非警戒モードの２つの動作モードを有する防犯受信機とを備え、住戸の住人が外出時あるいは就寝時に防犯受信機の動作モードを警戒モードに切り替えている。
【特許文献１】特開２００４−２９５４０８号公報
【発明の開示】
【発明が解決しようとする課題】
【０００４】
ところで、上記従来システムにおいては、防犯受信機の動作モードの切替操作を防犯受信機の操作入力部で行い、防犯受信機まで操作者が近づく必要があり煩わしいという問題があった。一方、防犯受信機の動作モードの切替をワイヤレス送信機を使って行う場合には、システムコストが高くなるという問題やワイヤレス送信機を紛失する虞があるといった問題もあった。
【０００５】
本発明は上記事情に鑑みて為されたものであり、その目的は、システムコストの上昇を抑えるとともに防犯受信機の動作モードの切替が容易に行える防犯システムを提供することにある。
【課題を解決するための手段】
【０００６】
請求項１の発明は、上記目的を達成するために、住戸に設置されて不審者の侵入等の異常を検知するとともに異常検知時に検知信号を出力する１乃至複数の防犯センサと、防犯センサから出力される検知信号を受信したときに警報を発する警戒モード並びに検知信号を受信しても警報を発しない非警戒モードの２つの動作モードを有し固有のアドレスが割り当てられた防犯受信機と、住戸に設置され手動操作によって動作状態が切り替えられる１乃至複数の機器と、固有のアドレスが割り当てられ当該機器の動作状態を監視する１乃至複数の監視端末器と、信号線により防犯受信機並びに監視端末器と接続され当該信号線を介して防犯受信機並びに監視端末器との間で信号を伝送する信号伝送手段と、防犯受信機との間で予め前記アドレスによる対応関係が決められている１乃至複数の特定の監視端末器のアドレス及び当該特定の監視端末器が監視する機器の動作状態に関する条件を記憶する記憶手段と、前記動作状態が前記記憶手段に記憶した動作状態に関する条件と一致した場合に警戒モードに設定させるための警戒設定指令を防犯受信機に対し前記信号伝送手段より信号線を介して送信する信号処理手段とを備えたことを特徴とする。
【発明の効果】
【０００７】
請求項１の発明によれば、住戸に設置される機器（例えば、エアコン）の動作状態を変化させることで防犯受信機の動作モードを警戒モードに切り替えることができるから、防犯受信機の動作モードの切替操作を防犯受信機の操作入力部で行う必要は無く、防犯受信機まで操作者が近づく煩わしさが解消されるとともに、ワイヤレス送信機を使うなどシステムコストが高くなる虞もない。
【発明を実施するための最良の形態】
【０００８】
以下、図面を参照して本発明の実施形態を詳細に説明する。
【０００９】
本実施形態の防犯システムは、図１に示すように住戸に設置されて不審者の侵入等の異常を検知するとともに異常検知時に検知信号を出力する複数の防犯センサ２と、防犯センサ２から出力される検知信号を受信したときに警報を発する警戒モード並びに検知信号を受信しても警報を発しない非警戒モードの２つの動作モードを有する防犯受信機１と、住戸に設置された機器（例えば、エアコン）３と、機器３の動作状態を監視する監視端末器４と、防犯受信機１並びに監視端末器４が信号線Ｌｓを介して接続された制御端末器５とを備えている。ここで、防犯受信機１、監視端末器４、制御端末器５にはそれぞれ固有のアドレスが割り当てられており、当該アドレスによって防犯受信機１、監視端末器４、制御端末器５が互いを識別して信号線Ｌｓを介した伝送信号の授受を行うことができる。
【００１０】
防犯センサ２は、例えば住戸の窓が空けられたり或いは窓ガラスが割られたときに生じる振動を検知するものや、検知エリアにおける人の存在を検知するもの、あるいは玄関扉の錠が解錠されたことを検知するものなどがあり、これらの異常を検知したときに接続線Ｌｘを介して防犯受信機１に検知信号を出力する。但し、このような防犯センサ２は従来周知であるから詳細な構成の図示並びに説明は省略する。
【００１１】
防犯受信機１は、信号線Ｌｓを介して伝送信号を伝送する信号伝送部１０と、防犯センサ２から出力された検知信号を接続線Ｌｘを介して取り込む防犯センサインタフェース（Ｉ／Ｆ）部１１と、ＣＰＵを主構成要素とする制御部１２と、制御部１２により制御されて音や光による警報を発生する警報発生部１３とを具備する。ここで、制御部１２には上述のように警戒モードと非警戒モードの２つの動作モードが有り、警戒モードに設定されているときに何れかの防犯センサ２から検知信号が出力されると制御部１２が警報発生部１３を制御して警報を発生させることにより住戸の住人に異常の発生（例えば、窓ガラスの破壊）を知らせる。
【００１２】
監視端末器４は、信号線Ｌｓを介して伝送信号を伝送する信号伝送部４０と、接続線を介して機器３と接続され当該機器３の動作状態を検出する機器インタフェース（Ｉ／Ｆ）部４１と、ＣＰＵを主構成要素とし機器Ｉ／Ｆ部４１で機器３の動作状態が変化したことを検出したときに信号線Ｌｓを介して制御端末器５に動作状態の変化を通知する制御部４２とを具備する。
【００１３】
一方、制御端末器５は、信号線Ｌｓを介して防犯受信機１並びに監視端末器４との間で伝送信号を伝送する信号伝送部５０と、不揮発性メモリからなる記憶部５１と、ＣＰＵを主構成要素とする信号処理部５２とを具備する。記憶部５１には、防犯受信機１に割り当てられている固有のアドレスと、防犯受信機１との間でアドレスによる対応関係が決められている１乃至複数の特定の監視端末器４のアドレス及び当該監視端末器４によって監視される機器３の動作状態に関する条件を記憶している。例えば、監視端末器４のアドレスが防犯受信機１のアドレスと対応付けられ、監視端末器４で監視する機器３がオン状態であるという条件が設定されて記憶部５１に記憶される。
【００１４】
図２は伝送信号のフォーマットを示し、送信先アドレス、送信元アドレス、パケット種別、制御内容で構成される。パケット種別には、防犯受信機１に対して警戒モードへの設定を要求する制御要求と、防犯受信機１から制御要求の送信元（制御端末器５）に返信する制御結果（制御内容はＡＣＫとＮＡＫ）と、アドレスの対応関係を有する監視端末器４から機器３の動作状態が変化したことを通知する状態変化通知（制御内容はオフ状態とオン状態）とがあり、それぞれに固有のビット列が割り当てられている。
【００１５】
次に、図３のシーケンスフローを参照して防犯受信機１を警戒モードに設定する動作について説明する。なお、本実施形態で例示する機器（エアコン）３にはリモコン送信機６が付属しており、通常、住人はリモコン送信機６を操作して機器３をオン、オフする。
【００１６】
まず、機器３がオフ状態であったとする。但し、かかる状況は制御端末器５の記憶部５１にも記憶されている。このとき、リモコン送信機６が操作されて機器３がオンすると、監視端末器４において機器Ｉ／Ｆ部４１が機器３の動作状態の変化（オフ状態からオン状態への変化）を検出し、制御部４２が機器３の動作状態がオフ状態からオン状態に変化したことを制御端末器５に通知するために、制御端末器５に対して状態変化通知の伝送信号を送信する。
【００１７】
制御端末器５では、当該状態変化通知を受け取った信号処理部５２が記憶部５１に記憶している条件と照らし合わせ、機器３がオン状態であるという条件に一致していることから、信号処理部５２はパケット種別を制御要求、制御内容をオン制御とする制御データ（警戒設定指令）を生成し、記憶部５１に記憶している防犯受信機１のアドレスを送信先アドレスとし、自己のアドレスを送信元アドレスとして、生成した制御データ（パケット種別並びに制御内容）を含む伝送信号を信号伝送部５０より信号線Ｌｓを介して伝送させる。すると、送信先アドレスが自己のアドレスと一致する防犯受信機１が当該伝送信号を信号伝送部１０から制御部１２に取り込み、制御データに基づいて制御部１２が動作モードを警戒モードに切り替える。さらに制御部１２は、パケット種別を制御結果、制御内容をＡＣＫ（警戒モードに設定したこと）とする制御データを生成し、制御要求の送信元である制御端末器５のアドレスを送信先アドレスとし、自己のアドレスを送信元アドレスとして、生成した制御データ（パケット種別並びに制御内容）を含む伝送信号を信号伝送部１０より信号線Ｌｓを介して伝送させる。
【００１８】
而して、上述のように本実施形態によれば、住戸に設置される機器（例えば、エアコン）３の動作状態を変化させることで防犯受信機１の動作モードを警戒モードに切り替えることができるから、防犯受信機１から離れた場所（機器３の設置場所）で動作モードを容易に切り替えることができる。
【００１９】
なお、本実施形態では信号処理手段たる信号処理部５２と記憶手段たる記憶部５１を制御端末器５に具備しているが、これらの各手段を監視端末器４に具備してもよい。
【００２０】
ここで、エミット（ＥＭＩＴ（Embedded Micro Internetworking Technology）)と称する機器組み込み型ネットワーク技術（機器に簡単にミドルウェアを組み込んでネットワークに接続できる機能を備えるネットワーク技術、以降、ＥＭＩＴ技術と称する。）を用いることで、携帯電話、ＰＣ（Personal Computer）、ＰＤＡ（Personal  Digital Assistant）、ＰＨＳ（Personal Handy phone System）等の外部端末（図示せず）から様々な設備機器（照明装置、空調装置、動力装置、センサ、電気錠、ウェブカメラ等、以降、ＥＭＩＴ端末と称する。）＜図示せず＞にアクセスして、ＥＭＩＴ端末を遠隔監視・制御することができる。
【００２１】
尚、ＥＭＩＴ端末は、マイコン搭載の組み込み機器であり、機器組み込み型のネット接続用ミドルウェアでありＥＭＩＴ技術を実現するＥＭＩＴソフトウェアが搭載されている。例えば、本実施形態においては防犯受信機１、監視端末器４、制御端末器５にＥＭＩＴソフトウェアを実装してもよい。
【図面の簡単な説明】
【００２２】
【図１】本発明の実施形態を示すシステム構成図である。
【図２】同上における伝送信号の説明図である。
【図３】同上の動作説明用のシーケンスフローである。
【符号の説明】
【００２３】
１  防犯受信機
２  防犯センサ
３  機器
４  監視端末器
５  制御端末器
６  リモコン送信機
【図１】
0004747825.tif 000002
【図２】
0004747825.tif 000003
【図３】
0004747825.tif 000004